(57)【要約】【課題】デンタルフロスを、二つの歯ブラシ部の内側中心に張設することにより、このデンタルフロスが二つの歯ブラシ部を案内することになって、歯間部および歯茎の境目などの周囲を偏りなく均等に磨くことができるようにしたものである。【解決手段】把持部１に連なり二股状に分岐形成された二つの支持部３、３aと、これら支持部３、３aにそれぞれ連なったブラシ基材部５、５aの先端部位にデンタルフロス６を水平に張設するための切欠部７、７aが設けられ、二つのブラシ基材部５、５aの内向き対向面にして、かつ切欠部７、７aの最深部a、bを中心とする円周上に植毛束９、９aが植毛されて形成されたブラシ部４、４aと、二股状の分岐部近傍、または把持部１に設けられた巻取り留め部１０を有し、デンタフロス６が切欠部７、７aを介して二つのブラシ基材部５、５a間の中心線上に張設される。【選択図】    図１
2011072696.tif 000002
【特許請求の範囲】
【請求項１】
把持部(１)と、
この把持部(１)に連なり二股状に分岐形成された二つの支持部(３)、(３a)と、
これら二つの支持部(３)、(３a)にそれぞれ連なったブラシ基材部(５)、(５a)の先端部位にデンタルフロス(６)を水平に張設するための切欠部(７)、(７a)が設けられ、前記二つのブラシ基材部(５)、(５a)のそれぞれの内向き対向面にして、かつ前記切欠部(７)、(７a)の最深部(a)、(b)を中心とする円周上に植毛束(９)、(９a)がそれぞれ水平に植毛されて形成されたそれぞれのブラシ部(４)、(４a)と、
前記二股状の分岐部近傍、または前記把持部(１)に膨出形成され、かつ前記デンタフロス(６)の両端を巻き取って留めるための巻取り留め部(１０)を有し、
かつ前記デンタフロス(６)が前記切欠部(７)、(７a)を介して前記二つのブラシ基材部(５)、(５a)間の中心線上に張設される構成を特徴とする歯の清掃具。
【請求項２】
前記二つのブラシ部(４)、(４a)は、前記二つの支持部(３)、(３a)に対しそれぞれ着脱自在として連設されている構成を特徴とする請求項１の歯の清掃具。
【発明の詳細な説明】
【技術分野】
【０００１】
本発明は、歯間の歯垢や食べカス等を取り除き、同時に歯間部分および歯茎の境目部分を磨く歯の清掃具に関する。
【背景技術】
【０００２】
虫歯や歯周病等の予防には、微細なナイロン繊維等をより合わせた歯間清掃用の糸であるデンタルフロス付のブラシが効果的であることは公知の事実である。
【０００３】
そして、この種歯ブラシに関する技術としては、従来数多くのものが提案され、また、実用にも供されている。
【０００４】
その例として、特開２００７−１３０４１８号に歯間ブラシ機能付きフロス糸ブラシが開示されており、また、特開平２−２８９２４６号公報に歯の清掃装置が開示されている。
【０００５】
ところで、これら特開２００７−１３０４１８号公報、特開平２−２８９２４６号公報に開示のものは、いずれもが歯ブラシの外側にデンタルフロスが張設されているため、デンタルフロスを歯間に挿入して磨いていると、デンタルフロスと歯ブラシの位置が離れてしまう。そのため、デンタルフロスが歯間部および歯茎の境目などの磨きにくい部位に、歯ブラシを正確に案内することにならず、磨き残しが発生しやすいという問題点があった。
【先行技術文献】
【特許文献】
【０００６】
【特許文献１】特開２００７−１３０４１８号公報
【特許文献２】特開平２−２８９２４６号公報
【発明の概要】
【発明が解決しようとする課題】
【０００７】
本発明が解決しようとする問題点は、デンタルフロスが歯ブラシの外側にあって、相対する歯ブラシの中心線上にないため、デンタルフロスを歯間に挿入して磨いていると、デンタルフロスと歯ブラシの位置が離れてしまい、デンタルフロスが歯間部および歯茎の境目などの磨きにくい部位に、歯ブラシを正確に案内することにならず、磨き残しが発生しやすいという点である。
【０００８】
従って、本発明の目的は、歯間清掃用の糸であるデンタルフロスを、相対向する二つの歯ブラシ部の内側中心（歯ブラシ基材部の中心）に張設することにより、このデンタルフロスが正確に二つの歯ブラシ部を案内することになって、自動的に歯間部および歯茎の境目などの周囲を偏りなく均等に磨くことができる歯の清掃具を提供することにある。
【０００９】
また、本発明の目的は、二つの歯ブラシ部のそれぞれを、二つの支持部のそれぞれに対して着脱自在構造とすることにより、歯ブラシ部の消耗などによる歯ブラシ部の交換を可能にし、経済的に使用できる歯の清掃具を提供することにある。
【課題を解決するための手段】
【００１０】
この目的のため、本発明の請求項1に記載の歯の清掃具は、把持部１と、この把持部１に連なり二股状に分岐形成された二つの支持部３、３aと、  これら二つの支持部３、３aにそれぞれ連なったブラシ基材部５、５aの先端部位にデンタルフロス６を水平に張設するための切欠部７、７aが設けられ、前記二つのブラシ基材部５、５aのそれぞれの内向き対向面にして、かつ前記切欠部７、７aの最深部a、ｂを中心とする円周上に植毛束９、９aがそれぞれ水平に植毛されて形成されたそれぞれのブラシ部４、４aと、前記二股状の分岐部近傍、または前記把持部１に膨出形成され、かつ前記デンタフロス６の両端を巻き取って留めるための巻取り留め部１０を有し、かつ前記デンタフロス６が前記切欠部７、７aを介して前記二つのブラシ基材部５、５a間の中心線上に張設される構成を特徴とするものである。
【００１１】
本発明の請求項２に記載の歯の清掃具は、前記二つのブラシ部４、４aは、前記二つの支持部３、３aに対しそれぞれ着脱自在として連設されている構成を特徴とするものである。
【発明の効果】
【００１２】
請求項1に記載の発明によれば、歯間清掃用の糸であるデンタルフロスを、相対向する二つの歯ブラシ部の内側中心（歯ブラシ基材部の中心）に張設することにより、このデンタルフロスが正確に二つの歯ブラシ部を案内することになって、自動的に歯間部および歯茎の境目などの周囲を偏りなく均等に磨くことができる。
【００１３】
また、請求項２に記載の発明によれば、二つの歯ブラシ部のそれぞれを、二つの支持部のそれぞれに対して着脱自在構造とすることにより、歯ブラシ部の消耗などによる歯ブラシ部の交換が可能となって経済的に使用できる。
【図面の簡単な説明】
【００１４】
【図１】図１は、本発明に係る歯の清掃具の一例での斜視図である。（実施例１）
【図２】図２は、図１における要部の拡大斜視図である。
【図３】図３は、図２における３−３線に沿った拡大断面図である。
【図４】図４は、本発明に係る歯の清掃具の他例での分解斜視図である。（実施例２）
【図５】図５は、本発明に係る歯の清掃具の他例での分解斜視図である。（実施例３）
【図６】図６は、本発明に係る歯の清掃具の他例での分解斜視図である。（実施例４）
【発明を実施するための形態】
【００１５】
本発明に係る歯の清掃具は、把持部と、この把持部に連なって二股状に分岐形成された二つの支持部と、これら二つの支持部にそれぞれ連なったブラシ基材部の先端部位にデンタルフロスを水平に張設するための切欠部が設けられ、前記二つのブラシ基材部のそれぞれの内向き対向面にして、かつ前記切欠部の最深部を中心とする円周上に植毛束がそれぞれ水平に植毛されて形成されたそれぞれのブラシ部と、前記二股状の分岐部近傍、または前記把持部に膨出形成され、かつ前記デンタフロスの両端を巻き取って留めるための巻取り留め部を有し、かつ前記デンタフロスが前記切欠部を介して前記二つのブラシ基材部間の中心線上に張設され、使用に当っては、歯間にデンタルフロスを入れて上下、前後、左右に動かして歯間を磨き、および歯茎の境目などの周囲を磨き、または清掃する。
【００１６】
以下、本発明の具体的な実施例を図面に基づきその作用と共に説明する。
【実施例１】
【００１７】
図１は、本発明に係る歯の清掃具の一実施例の斜視図であって、本歯の清掃具は、把持部と支持部、歯ブラシ基材部、デンタルフロスの巻き取り留め部などを含み、これらは衛生上問題とならない硬質樹脂材、例えばポリエステル樹脂材による成形品として得られる。
【００１８】
使用時に把持される把持部１は、把持に適した長さ、形状などを有するものであれば、特に限定されるものではない。
【００１９】
把持部１の一端には、略Ｔ字状に連なる共通基部２を介して二つの支持部３、３ａが二股状にして、かつ左右対称に分岐形成されている。
【００２０】
二つの支持部３、３ａのそれぞれの自由端部（先端部）には、それぞれブラシ部４、４ａが設けられている。
【００２１】
二つのブラシ部４、４ａは、それぞれ略円形のブラシ基材部５、５ａの先端部位にして、かつ軸方向（厚み方向）いっぱいに設けられたデンタルフロス６を水平に張設するためのＶ字状などの切欠部７、７ａと、ブラシ基材部５、５ａの内向きに相対向する植毛面８、８ａにおける切欠部７、７ａの最深部ａ、ｂを中心とする円周上に、等角度で明けられた複数の盲孔にそれぞれ水平に植毛された複数の植毛束９、９ａを含み、相対向する二つの切欠部７、７ａ間に歯間清掃用の糸であるデンタルフロス６を通すことにより、このデンタルフロス６を二つのブラシ部４、４ａの略中心線上に張設することができるようになっている。
【００２２】
図１および図２に示されているように、二股状の分岐部近傍である共通基部２の上面中央部位には、デンタルフロス６の両端を巻き取って留めるため、図３に示されているように、巻き取り溝部１１を有する巻き取り留め部１０が膨出形成され、切欠部７、７ａを介して二つのブラシ部４、４ａの略中心線上に張設されたデンタルフロス６の両端を巻き留めすることにより、デンタルフロス６の張設状態を保持できるようになっている。
【００２３】
なお、巻き取り留め部１０は、共通基部２の上面の他、把持部１の上面適所に設けるようにしてもよい。
【００２４】
このように構成された歯の清掃具は、次のようして使用される。
【００２５】
先ず、図１および図２に示されているように、デンタルフロス６が二つのブラシ部４、４ａにおける切欠部７、７ａを介し、かつデンタルフロス両端が巻き取り留め部１１に巻き留めされることによって、二つのブラシ部４、４ａ（ブラシ基材部５、５ａ）間の略中心線上に張設され、使用に当っては、把持部１を持ち、歯間にデンタルフロス６を入れて上下、前後、左右に動かして歯間を磨けば、デンタルフロス６が正確に二つの歯ブラシ部４、４ａを案内することになって、自動的に歯間部および歯茎の境目などの周囲を偏りなく均等に磨くことができる。
【実施例２】
【００２６】
図４に示されている実施例２は、二つのブラシ部４、４ａが二つの支持部３、３ａに対して着脱可能とされ、適時ブラシ部の交換ができるよう構成されたものである。
【００２７】
以下、実施例２を図１〜図３との対応部分には同一符号を附して示す図４に基づいて説明する。
【００２８】
二つのブラシ部４、４ａは、それぞれのブラシ基材部５、５ａの厚み方向いっぱいに嵌合突起部１２、１２ａが一体に設けられ、これに対する二つの支持部３、３ａの先端部には、嵌合突起部１２、１２ａが一体的に嵌り込む嵌合凹部１３、１３ａと、円弧状のブラシ基材部５、５ａの外周一部分と適合する円弧状凹部１４、１４ａが形成され、これら嵌合凹部１３、１３ａと円弧状凹部１４、１４ａに嵌合突起部１２、１２ａが嵌り込むことにより、二つのブラシ部４、４ａが着脱可能とされている。
【実施例３】
【００２９】
図５に示されている実施例３は、それぞれにブラシ部４、４ａを有する二つの支持部３、３ａおよび共通基部２が左右対称の二分割構造とされ、これらが一体的に接合されて把持部１と連結されるように構成されたものである。
【００３０】
以下、実施例３を図１〜図３との対応部分には同一符号を附して示す図５に基づいて説明する。
【００３１】
分割されたそれぞれの共通基部２の後端部（把持部１との連結方向）に、鍵部１５、１５ａ付きの嵌合突起部１６、１６ａが一体に延設され、巻き取り留め部１０を有する把持部１は一部、または全体が中空状にして、かつ両側面にはそれぞれの鍵部１５、１５ａが嵌り込む開口部１７、１７ａが明けられて構成され、二分割された共通基部２が一体的に接合されて把持部１の開口部より嵌め込まれ、嵌合突起部１６、１６ａの鍵部１５、１５ａが開口部１７、１７ａに嵌り込むことによりそれぞれが一体的に連結されて歯の清掃具として構成されるものである。
【実施例４】
【００３２】
図６に示されている実施例４は、それぞれにブラシ部４、４ａを有する二つの支持部３、３ａおよび共通基部２、巻き取り留め部１０を有する把持部１が二分割構造とされ、これらが一体的に接合固着されることにより歯の清掃具として構成されるようにしたものである。
【００３３】
以下、実施例４を図１〜図３との対応部分には同一符号を附して示す図６に基づいて説明する。
【００３４】
二つに分割された一方把持部１の長手方向の内側面に、適当な間隔で複数の嵌合突起部１８が設けられ、他方把持部１における嵌合突起部１８との対接面長手方向に、各嵌合突起部１８が嵌り込む盲穴１９が設けられ、これら嵌合突起部１８と盲穴１９との嵌合接着によって一体的な把持部１等を有する歯の清掃具が構成されるようにしたものである。
【００３５】
そして、実施例２、３、４のものは、前記実施例１のもと同様にして使用され、同様の作用効果を奏するものである。
【符号の説明】
【００３６】
１    把持部
２    共通基部
３、３a  支持部
４、４a  ブラシ部
５、５a  ブラシ基材部
６    デンタルフロス
７    切欠部
９、９a    植毛束
１０    デンタルフロスの巻き取り留め部
１２、１２a    嵌合突起部  
１３、１３a     嵌合凹部
【図１】
2011072696.tif 000003
【図２】
2011072696.tif 000004
【図３】
2011072696.tif 000005
【図４】
2011072696.tif 000006
【図５】
2011072696.tif 000007
【図６】
2011072696.tif 000008